(57)【要約】【課題】アドレス帳の電話番号等を変更したとしても、履歴等の表示の際には名前等を表示する通信端末の提供を目的とする。【解決手段】通信端末は、通信に関する所定の動作をするアプリケーションを有し、名称と通信先情報とを対応付けて記憶しているアドレス帳記憶媒体中の第１通信先情報を、第２通信先情報に書換えた場合に、前記アプリケーションが参照する通信先情報を記憶しているアプリケーション用情報記憶媒体に記憶されている第１通信先情報を第２通信先情報に書換える。【選択図】図１
2008252370.tif 000002
【特許請求の範囲】
【請求項１】
通信に関する所定の動作をするアプリケーションと、
名称と通信先情報とを対応付けて記憶しているアドレス帳記憶媒体中の第１通信先情報を、第２通信先情報に書換えるアドレス帳書換手段と、
前記アドレス帳書換手段により第１通信先情報が第２通信先情報に書換えられた場合は、前記アプリケーションが参照する通信先情報を記憶しているアプリケーション用情報記憶媒体に記憶されている第１通信先情報を第２通信先情報に書換えるアプリケーション用情報書換手段と
を備えることを特徴とする通信端末。
【請求項２】
前記通信端末は、更に、ディスプレイを備え、
前記アプリケーションは、
発呼または着呼を行う通話手段と、
前記アプリケーション用情報記憶媒体に、前記通話手段で着呼または発呼した電話番号を通信先情報として記憶させる記憶手段と、
前記アプリケーション用情報記憶媒体に記憶されている通信先情報と同一の通信先情報と対応付けられてアドレス帳記憶媒体に記憶されている名称を、前記ディスプレイに表示する表示手段とを備える
ことを特徴とする請求項１記載の通信端末。
【請求項３】
前記通信端末は、更に、前記表示手段で表示されている名称を指定して返信する旨のユーザ操作を受け付けた場合は、前記通話手段に、前記アプリケーション用情報記憶媒体に通信先情報として記憶されている電話番号に発呼させる返信手段を備える
ことを特徴とする請求項２記載の通信端末。
【請求項４】
前記通信端末は、更に、ディスプレイを備え、
前記アプリケーションは、
メールの送信または受信を行うメール手段と、
前記アプリケーション用情報記憶媒体に、前記メール手段でメールを送信又は受信したメールアドレスを通信先情報として記憶させる記憶手段と、
前記アプリケーション用情報記憶媒体に記憶されている通信先情報と同一の通信先情報と対応付けられてアドレス帳記憶媒体に記憶されている名称を、前記ディスプレイに表示する表示手段とを備える
ことを特徴とする請求項１記載の通信端末。
【請求項５】
前記通信端末は、更に、前記表示手段で表示されている名称を指定して返信する旨のユーザ操作を受け付けた場合は、前記メール手段に、前記アプリケーション用情報記憶媒体に通信先情報として記憶されているメールアドレスを宛先としてメールを送信させる返信手段を備える
ことを特徴とする請求項４記載の通信端末。
【請求項６】
前記通信端末は、更に、ディスプレイを備え、
前記アプリケーションは、
発呼または着呼を行う通話手段と、
着呼があった場合に、着呼があったことを報知する報知手段と、
前記アプリケーション用情報記憶媒体に、特定の電話番号を通信先情報として記憶させる記憶手段と、
前記アプリケーション用情報記憶媒体に通信先情報として記憶されている特定の電話番号から着呼があった場合は、前記報知手段に報知することを抑止させる報知抑制手段とを備える
ことを特徴とする請求項１記載の通信端末。
【請求項７】
前記通信端末は、更に、ディスプレイを備え、
前記アプリケーションは、
音声データを記憶する音声記憶媒体に、通信相手からの音声データを記憶させる音声記憶手段と、
前記アプリケーション用情報記憶媒体に、前記記憶させた音声データと対応付けて、前記通信相手の電話番号を通信先情報として記憶させる記憶手段と、
前記アプリケーション用情報記憶媒体に記憶されている通信先情報と同一の通信先情報と対応付けられてアドレス帳記憶媒体に記憶されている名称を、前記ディスプレイに表示する表示手段とを備える
ことを特徴とする請求項１記載の通信端末。
【請求項８】
通信に関する所定の動作をするアプリケーションとを有する通信端末で用いられるアドレス帳書換方法であって、
名称と通信先情報とを対応付けて記憶しているアドレス帳記憶媒体に記憶されている第１通信先情報を第２通信先情報で書換えるアドレス帳書換ステップと、
前記アドレス帳書換ステップにより第１通信先情報が第２通信先情報で書換えられた場合は、前記アプリケーションが参照する通信先情報を記憶しているアプリケーション用情報記憶媒体に記憶されている第１通信先情報を第２通信先情報で書換えるアプリケーション用情報書換ステップと
を備えることを特徴とするアドレス帳書換方法。
【請求項９】
通信に関する所定の動作をするアプリケーションとを有する通信端末で用いられるアドレス帳書換処理を行わせるためのコンピュータプログラムであって、
名称と通信先情報とを対応付けて記憶しているアドレス帳記憶媒体に記憶されている第１通信先情報を第２通信先情報で書換えるアドレス帳書換ステップと、
前記アドレス帳書換ステップにより第１通信先情報が第２通信先情報で書換えられた場合は、前記アプリケーションが参照する通信先情報を記憶しているアプリケーション用情報記憶媒体に記憶されている第１通信先情報を第２通信先情報で書換えるアプリケーション用情報書換ステップと
を備えることを特徴とするコンピュータプログラム。
【発明の詳細な説明】
【技術分野】
【０００１】
本発明は、通信端末の通話やメール等の機能に関し、特に電話番号やメールアドレスが変更になった場合の利便性向上に関する技術に関する。
【背景技術】
【０００２】
近年の、携帯電話機等の通信端末は、電話番号やメールアドレスと名前や名称等とを対応付けて記憶しておく、いわゆるアドレス帳を備えている。
ユーザは、アドレス帳から名前等を指定することで指定した相手に電話を掛けたり、メールを送ることができる。例えば、電話を掛ける場合、電話番号を憶えておく必要も、電話番号を入力したりする必要もない。
【０００３】
また、着信履歴等の履歴を表示する際には、誰から電話があったかなどを即座に認識することが出来るように、電話番号ではなくアドレス帳に登録されている名前等で表示するようになっている。更に、着信履歴を表示する際に、応答したか否かなどを表示文字色で示して認識しやすくする技術（特許文献１の図２参照）なども開発されている。
但し、着信履歴の表示においてアドレス帳に登録されていない電話番号からの着呼については電話番号が表示される。
【特許文献１】特開２００１−１１１６７５号公報
【発明の開示】
【発明が解決しようとする課題】
【０００４】
しかし、着信履歴等を表示した際に、アドレス帳に登録されている人物からの着呼であるにもかかわらず、履歴に名前等が表示されない場合がある。
アドレス帳の電話番号が更新された場合である。
すなわち、更新後の現在、アドレス帳に登録されているのは、更新後の電話番号であって、更新前の電話番号ではない。
【０００５】
従って、更新前に掛かってきた電話の履歴としては更新前の電話番号が残されていることから、アドレス帳に登録されていない電話番号と判断され、履歴の表示の際には電話番号が表示されることになるからである。
そこで、本発明は、アドレス帳の電話番号等を変更したとしても、履歴等の表示の際には名前等を表示する通信端末の提供を目的とする。
【課題を解決するための手段】
【０００６】
上記課題を解決する為に、本発明の通信端末は、通信に関する所定の動作をするアプリケーションと、名称と通信先情報とを対応付けて記憶しているアドレス帳記憶媒体中の第１通信先情報を、第２通信先情報に書換えるアドレス帳書換手段と、前記アドレス帳書換手段により第１通信先情報が第２通信先情報に書換えられた場合は、前記アプリケーションが参照する通信先情報を記憶しているアプリケーション用情報記憶媒体に記憶されている第１通信先情報を第２通信先情報に書換えるアプリケーション用情報書換手段とを備えることを特徴とする。
【発明の効果】
【０００７】
本発明に係る通信端末は、上述の構成を備えることにより、アドレス帳の変更があれば、自動的にアプリケーションが参照する情報に当該変更を反映することができるので、アプリケーションは変更後の情報に基づいて実行するようになる。
すなわち、前記通信端末では、アドレス帳の変更をした場合に、変更に関係あるアプリケーション側のデータを設定しなおしたりする手間が不要となる。
【０００８】
ここで、アプリケーションとは、プロセッサによりプログラムが実行されることで実現する動作、いわゆる機能の実行主体をいうものとする。
また、前記通信端末は、更に、ディスプレイを備え、前記アプリケーションは、発呼または着呼を行う通話手段と、前記アプリケーション用情報記憶媒体に、前記通話手段で着呼または発呼した電話番号を通信先情報として記憶させる記憶手段と、前記アプリケーション用情報記憶媒体に記憶されている通信先情報と同一の通信先情報と対応付けられてアドレス帳記憶媒体に記憶されている名称を、前記ディスプレイに表示する表示手段とを備えることとしてもよい。
【０００９】
これにより、アドレス帳の電話番号が変更された場合に、ディスプレイに発呼や着呼の情報を表示するためにアプリケーションが参照する発着信履歴として記憶されている電話番号も変更するので、発着信履歴を表示した場合に、変更後の電話番号と対応付いている名称を表示することができるようになる。
具体的には、電話番号を変更した場合に、変更前の電話番号から掛かってきた着呼の履歴を表示したとしても、変更前の電話番号ではなく、誰からの電話であったかが容易にわかる名前等で表示することができる。
【００１０】
また、前記通信端末は、更に、前記表示手段で表示されている名称を指定して返信する旨のユーザ操作を受け付けた場合は、前記通話手段に、前記アプリケーション用情報記憶媒体に通信先情報として記憶されている電話番号に発呼させる返信手段を備えることとしてもよい。
名称を表示するためにアプリケーションが参照した着信履歴の電話番号は、変更後の電話番号に変わっているため、ユーザは従来どおりに、表示されている名称を選択して返信のための操作をすれば、変更後の電話番号に掛けることができる。
【００１１】
また、前記通信端末は、更に、ディスプレイを備え、前記アプリケーションは、メールの送信または受信を行うメール手段と、前記アプリケーション用情報記憶媒体に、前記メール手段でメールを送信又は受信したメールアドレスを通信先情報として記憶させる記憶手段と、前記アプリケーション用情報記憶媒体に記憶されている通信先情報と同一の通信先情報と対応付けられてアドレス帳記憶媒体に記憶されている名称を、前記ディスプレイに表示する表示手段とを備えることとしてもよい。
【００１２】
これにより、アドレス帳のメールアドレスが変更された場合に、ディスプレイにメールの送受信に関する情報を表示するためにアプリケーションが参照するメールの送受信履歴として記憶されているメールアドレスも変更するので、送受信メール履歴を表示した場合に、変更後のメールアドレスと対応付いている名称を表示することができるようになる。
また、前記通信端末は、更に、前記表示手段で表示されている名称を指定して返信する旨のユーザ操作を受け付けた場合は、前記メール手段に、前記アプリケーション用情報記憶媒体に通信先情報として記憶されているメールアドレスを宛先としてメールを送信させる返信手段を備えることとしてもよい。
【００１３】
名称を表示するためにアプリケーションが参照した受信メール履歴のメールアドレスは、変更後のメールアドレスに変わっているため、ユーザは従来どおりに、表示されている名称を選択して返信のための操作をすれば、変更後のメールアドレス宛にメールを送信することができる。
また、前記通信端末は、更に、ディスプレイを備え、前記アプリケーションは、発呼または着呼を行う通話手段と、着呼があった場合に、着呼があったことを報知する報知手段と、前記アプリケーション用情報記憶媒体に、特定の電話番号を通信先情報として記憶させる記憶手段と、前記アプリケーション用情報記憶媒体に通信先情報として記憶されている特定の電話番号から着呼があった場合は、前記報知手段に報知することを抑止させる報知抑制手段とを備えることとしてもよい。
【００１４】
これにより、アドレス帳の電話番号が変更された場合に、いわゆる着信拒否として着信の際の報知を行わないようにしたい電話番号が変更前の電話番号である場合には変更されるので、着信拒否したい電話番号を再設定しなくても着信を拒否することができるようになる。
また、前記通信端末は、更に、ディスプレイを備え、前記アプリケーションは、音声データを記憶する音声記憶媒体に、通信相手からの音声データを記憶させる音声記憶手段と、前記アプリケーション用情報記憶媒体に、前記記憶させた音声データと対応付けて、前記通信相手の電話番号を通信先情報として記憶させる記憶手段と、前記アプリケーション用情報記憶媒体に記憶されている通信先情報と同一の通信先情報と対応付けられてアドレス帳記憶媒体に記憶されている名称を、前記ディスプレイに表示する表示手段とを備えることとしてもよい。
【００１５】
これにより、アドレス帳の電話番号が変更された場合に、留守電の音声メモや通話メモの通信相手として、音声データと対応付けて記憶している電話番号も変更されるので、誰からの音声メモであったかを表示させたときに、名前等の通信先情報で表示することができるようになる。
【発明を実施するための最良の形態】
【００１６】
＜実施形態１＞
＜概要＞
従来の履歴は、例えば着信履歴の場合は、着呼があった電話番号を記録しておくものである。
しかし、本発明にかかる通信端末では、着呼等した電話番号や受信したメール等のメールアドレスを履歴としてとらえるのではなく、誰から電話を受けたか、誰からメールを受け取ったか等を履歴としてとらえようとするものである。
【００１７】
本発明にかかる通信端末では、「履歴は、どの電話番号から電話を受けたかが判るよりも、誰から電話を受けたか判る方が重要である」との考えのもとに、履歴を管理する。電話の発信、メールの送受信も同様である。以下、電話番号を例に挙げて説明する。
具体的には、履歴として記憶している電話番号が更新前の電話番号である場合には、履歴として更新前の電話番号に代えて更新後の電話番号を記憶する。
【００１８】
すなわち、更新後の電話番号を記憶することで、履歴を表示する際にはアドレス帳の名前を用いた表示が可能となる。従って、通信端末のユーザは、更新前の電話番号を覚えていなくても、誰からの電話であったかが即座に認識できるようになる。
また、更新前の電話番号から掛かってきた着信履歴を利用して返信する場合であっても、通常の操作を行うだけで更新後の電話番号に掛けることができるようになる。
【００１９】
更に、本発明にかかる通信端末では、着信履歴等に限定されるものではなく、着信拒否の電話番号なども更新後の電話番号に書き換えることで、設定し忘れ等により本来の機能を発揮できなくなることを防止することができる。すなわち、アドレス帳と連携して動作するアプリケーションの設定を変更する手間が不要となる。
以下、本発明にかかる通信端末として携帯電話機を説明する。
【００２０】
＜構成＞
まず、本発明の実施形態に係る携帯電話機の構成について図１を用いて説明する。図１は、携帯電話機の構成を示す機能ブロック図である。
携帯電話機１０００は、アンテナ１１１０を備える通信部１１００、操作部１２００、表示部１３００、外部音声を入力するマイク１４１０と音声信号を出力するスピーカ１４２０とを備える音声処理部１４００、制御部１５００、アドレス帳管理部１６００、発着信履歴管理部１７００、メール履歴管理部１８００、受信管理部１９００、アドレス帳記憶部２０００及びアプリケーション記憶部３０００から構成される。
【００２１】
まず、制御部１５００は、図示しないＣＰＵ、メモリ等を備え、通話、メール送受信、応答メッセージの送信、伝言メモの記録等、携帯電話機に必要な一般的な制御処理を行う。
通信部１１００は、変復調回路や信号処理回路等を含み、制御部１５００の指示により、基地局（図示しない。）と通信する機能を有する。
【００２２】
また、操作部１２００は、キー、ボタン等を含み、ボタンの押下等のユーザ操作を検出し制御部１５００に通知する機能を有する。
表示部１３００は、液晶等のディスプレイを含み、制御部１５００の指示により、当該ディスプレイにメニューやメール等を表示する機能を有する。
音声処理部１４００は、音声のデジタル化や変復調等の処理を行う機能を有する。また、制御部１５００からの指示に応じて、着信メロディ等を鳴らす機能を有する。
【００２３】
次に、アドレス帳記憶部２０００は、アドレス帳２１００を記憶する機能を有し、アプリケーション記憶部３０００は、各種アプリケーションが実行時に参照等するデータを記憶する機能を有する。
本実施形態では、アプリケーション記憶部３０００には、着信電話履歴データ３１００、受信メール履歴データ３２００及び着信拒否電話番号データ３３００が記憶されているものとする。
【００２４】
着信電話履歴データ３１００は、着呼の履歴のデータであり、受信メール履歴データ３２００は、メールの受信履歴のデータである。また、着信拒否電話番号データ３３００は、着信を受け付けない電話番号である。これらデータの詳細は、後述する＜データ＞において説明する。
アドレス帳管理部１６００は、アドレス帳更新部１６１０を含み、アドレス帳２１００への登録、更新、削除等の処理を行う機能を有する。アドレス帳更新部１６１０は、アドレス帳管理部１６００が有する機能のうち、アドレス帳２１００を更新する機能を有する。アドレス帳２１００には、氏名、電話番号、メールアドレス等が登録されている。
【００２５】
発着信履歴管理部１７００は、着信履歴表示部１７１０を含み、着呼又は発呼の履歴を管理する機能、具体的には、着呼又は発呼のあったことを、アプリケーション記憶部３０００へ保存、更新、参照等を行う機能を有する。
着信履歴表示部１７１０は、発着信履歴管理部１７００が有する機能のうち、着呼の履歴を表示する機能を有し、着信電話履歴データ３１００を参照して着信履歴を制御部１５００を介して表示部１３００に表示する機能を有する。
【００２６】
また、メール履歴管理部１８００は、受信メール履歴表示部１８１０を含み、メールの受信又は送信の履歴を管理する機能、具体的には、メールの送信又は受信があったことやメール本文等を、アプリケーション記憶部３０００へ保存、更新、参照等を行う機能を有する。
受信メール履歴表示部１８１０は、メール履歴管理部１８００が有する機能のうち、メールの受信履歴を表示する機能を有し、受信メール履歴データ３２００を参照して受信メール履歴を制御部１５００を介して表示部１３００に表示する機能を有する。
【００２７】
次に、受信管理部１９００は、着信拒否部１９１０を含み、着呼やメールの受信を受け付けるか否かを判断する機能を有する。また、電話番号やメールアドレスを、アプリケーション記憶部３０００へ登録、更新、削除、参照等を行う機能を有する。
具体的には、受信管理部１９００は、着呼等があったことを検出した制御部１５００から電話番号を通知され、着信拒否したい番号番号であるか否かを判断し、その結果を制御部１５００に返す。制御部１５００は、着信拒否したい番号等でなければ着信メロディ等を鳴らしてユーザに報知するよう音声処理部１４００に指示し、通常の通話処理を行う。着信拒否したい番号であれば、制御部１５００は報知等は行わない。
【００２８】
また、制御部１５００は、必要に応じて、発着信履歴管理部１７００等に着呼等があったことの通知を行い、この通知を基に、発着信履歴管理部１７００等は履歴をアプリケーション記憶部に保存する。
着信拒否部１９１０は、制御部１５００からの問い合わせに応じて、着信拒否をしたい電話番号であるか否かを判断する。
【００２９】
ここで制御部１５００等の各部による各処理の全部または一部は、ＣＰＵが各種プログラムを実行することにより実現されるものである。
＜データ＞
以下、本発明である携帯電話機が用いる主なデータについて、図２及び図３を用いて説明する。図２を用いて、アドレス帳記憶部２０００に記憶されるアドレス帳２１００の説明を、図３を用いて、アプリケーション記憶部３０００に記憶される着信電話履歴データ３１００等の説明を行う。
【００３０】
まず、図２は、アドレス帳２１００の構成例及び内容例を示す図である。このアドレス帳２１００は、携帯電話機１０００のアドレス帳記憶部２０００が記憶しているデータである。
アドレス帳２１００は、登録番号２１１０、名前２１１１、電話番号１（２１１２）、電話番号２（２１１３）、メールアドレス１（２１１４）、メールアドレス２（２１１５）等の項目で構成され、通信相手に関する個人情報２１２０を登録人数分含む。
【００３１】
まず、登録番号２１１０は、このアドレス帳の個人情報２１２０の識別子を表す。本実施形態では、「001」、「002」等で示される。
名前２１１１は、本アドレス帳に登録されている通信相手の氏名、名称等を表す。
電話番号１（２１１２）と電話番号２（２１１３）とは、本アドレス帳に登録されている通信相手の電話番号である。
【００３２】
メールアドレス１（２１１４）とメールアドレス２（２１１５）とは、本アドレス帳に登録されている通信相手のメールアドレスである。
例えば、登録番号２１１０「001」で識別される個人情報２１１０は、名前２１１１が「Ａ男」、電話番号１（２１１２）が「0611111111」、電話番号２（２１１３）が「09022222222」、メールアドレス１（２１１４）が「A@AAA.ne.jp」、メールアドレス２（２１１５）が「A@BBB.or.jp」である。
【００３３】
次に、図３は、アプリケーション記憶部３０００に記憶される各アプリケーションで使用するデータの構成例及び内容例を示す図であり、図３（ａ）は、着信電話履歴データ３１００の構成及び内容例を示し、図３（ｂ）は、受信メール履歴データ３２００の構成及び内容例を示し、図３（ｃ）は、着信拒否電話番号データ３３００の構成及び内容例を示している。
【００３４】
まず、図３（ａ）に示す着信電話履歴データ３１００は、着信番号３１１０、発信元番号３１２０、着信時間３１３０等で構成される。
着信番号３１１０は、着呼の識別子であり、この番号が小さいほうが着信した日時が新しいものとする。
発信元番号３１２０は、着呼の発信元の電話番号を示し、着信時間３１３０は、着呼があった時間を示す。
【００３５】
例えば、直近にあった着呼は、着信番号３１１０が「001」であり、発信元番号３１２０「0611111111」から、着信時間３１３０「2007/03/30 12:32」、すなわち、２００７年３月３０日１２時３２分に掛かってきた電話である。
次に、図３（ｂ）に示す受信メール履歴データ３２００は、受信番号３２１０、送信元メールアドレス３２２０、件名３２３０等で構成される。
【００３６】
受信番号３２１０は、受信したメールの識別子であり、この番号が小さいほうが受信した日時が新しいものとする。
送信元メールアドレス３２２０は、受信したメールの送信元のメールアドレスを示し、件名３２３０は、受信したメールに記載された件名を示す。
例えば、直近に受け取ったメールは、受信番号３２１０が「００１」であり、送信元メールアドレス３２２０「B@CCC.ne.jp」からの、件名３２３０「会合の件」のメールである。
【００３７】
図３（ｃ）に示す着信拒否電話番号データ３３００は、着信を拒否する電話番号である着信拒否番号３３３０を記憶する。本実施形態では、着信拒否番号は1つであるが、複数であってももちろんよい。
＜動作＞
以下、上述した携帯電話機の動作について図４〜図９を用いて説明する。
【００３８】
図４は、着信履歴表示処理を示すフローチャートであり、図８は、アドレス帳更新処理を示すフローチャートである。
本発明は、図８に示すアドレス帳更新処理に特徴がある。但し、着信履歴表示処理はアドレス帳と密接に関連するため、まず、図４を用いて、着信履歴表示処理の説明を行う。尚、図４に示す着信履歴表示処理は、従来と同様である。
【００３９】
この際、図２に示すアドレス帳２１００と、図３（ａ）に示す着信電話履歴データ３１００等を参照する。
図５に（ａ）にディスプレイに表示された着信履歴の例を、図５（ｂ）に受信メール履歴の例を示す。
その後、図６と図７とを用いて、従来の、アドレス帳の電話番号を変更した場合の着信履歴の例と受信メール履歴の例とを説明し、本発明のアドレス帳更新処理を図８と図９とを用いて説明する。
【００４０】
＜着信履歴表示処理＞
まず、着信履歴を表示する処理について、図４を用いて説明する。
ユーザは、操作部１２００を介して、着信履歴を表示するため指示を行う（ステップＳ１００）。具体的には、例えば、操作部１２００に含まれる特定のボタンを押下する。
操作部１２００は、特定ボタンの押下を検出し、その旨を制御部１５００に通知する。
【００４１】
通知を受けた制御部１５００は、特定ボタンの押下が着信履歴の表示を行う指示であることを解析し、着信履歴表示部１７１０に着信履歴を表示するよう指示を出す。
指示を受けた着信履歴表示部１７１０は、着信番号履歴データ３１００（図３（ａ）参照）を読み出し、発信元番号３１２０と同じ番号がアドレス帳２１００の電話番号１（２１１２）又は電話番号２（２１１３）に登録されていないかを検索する（ステップＳ１２０）。この検索は、着信番号３１１０の小さい順に、着信電話履歴データが終了するまで（ステップＳ１１０）行う。
【００４２】
発信元番号３１２０と同じ番号がアドレス帳２１００にあれば（ステップＳ１３０：ＹＥＳ）、対応する名前２１１１を表示し（ステップＳ１４０）、無ければ（ステップＳ１３０：ＮＯ）、発信元電話番号を表示する（ステップＳ１５０）。具体的には、表示用のデータを作成し、着信履歴の表示用データに名前又は発信元番号を埋め込む。
着信履歴の表示用データが作成できたら、制御部１５００を介して表示部１３００に送り、表示部１３００は、受け取った表示用データをディスプレイに表示する（ステップＳ１６０）。
【００４３】
尚、ここでは、着信電話履歴データが終了するまで、発信元番号でアドレス帳を検索して表示する、すなわち表示用データを作成することとしているが、表示データ量に応じて一部分を検索して表示することとしてももちろんよい。
表示された着信履歴が、図５に（ａ）に示す着信履歴である。
例えば、着信電話履歴データ３１００（図３（ａ）参照）の、着信番号３１１０が「002」の履歴を表示する場合は、発信元番号３１２０が「09033333333」であるので、この番号でアドレス帳２１００（図２参照）を検索する。
【００４４】
その結果、登録番号２１２０が「002」の電話番号１（２１１２）が該当する。
従って、着信番号３１１０が「002」の履歴を表示する場合は、登録番号２１２０が「002」の名前２１１１「Ｂ子」を表示する。着信番号３１１０が「003」の履歴を表示する場合も、同様である（図５（ａ）履歴５０００参照）。
図５（ｂ）は受信メール履歴であり、着信履歴表示処理と同様の処理によって表示される。受信メール履歴表示処理は、着信履歴表示処理が、発信元番号３１２０でアドレス帳を検索したのに対し、送信元メールアドレス３２２０で検索する点が異なる。
【００４５】
例えば、受信メール履歴データ３２００（図３（ｂ）参照）の、受信番号３２１０が「001」の履歴を表示する場合は、送信元メールアドレス３２２０が「B@CCC.ne.jp」であるので、このアドレスでアドレス帳２１００のメールアドレス１（２１１４）とメールアドレス２（２１１５）と（図２参照）を検索する。
その結果、登録番号２１２０が「002」のメールアドレス１（２１１４）が該当する。
【００４６】
従って、受信番号３２１０が「001」の履歴を表示する場合は、登録番号２１２０が「002」の名前２１１１「Ｂ子」を表示する（図５（ｂ）履歴６０００参照）。
尚、本実施形態では、件名３２３０も表示している。
＜従来のアドレス帳変更と着信履歴＞
図６にアドレス帳２１００の電話番号が変更された例を示す。
【００４７】
ここでは、名前２１１１「Ｂ子」の電話番号１（２１１２）が「09033333333」から「09012345678」に変更されている（電話番号２１９０参照）。
この状態で、着信履歴表示処理を行った例が、図７（ａ）の着信履歴の例である。着信番号履歴データ３１００の着信番号３１１０が「002」の履歴を表示する場合、発信元番号３１２０「09033333333」で、アドレス帳２１００を検索する（図４のステップＳ１２０）。この場合、アドレス帳は、図６に示す内容となっており、発信元番号３１２０「09033333333」と同じ番号は存在せず、（図４のステップＳ１３０：ＮＯ）発信元番号が表示される（図４のステップＳ１５０、図７（ａ）履歴５０１０参照）。
【００４８】
すなわち、着信番号履歴データ３１００は変更されていないにもかかわらず、アドレス帳を変更したことが原因で、着信履歴に「Ｂ子」という名前は表示されなくなる（図５（ａ）と図７（ａ）参照）。
また、図７（ｂ）は、受信メール履歴の例である。受信メール履歴は、アドレス帳の「Ｂ子」のメールアドレスは変更されていないため、名前が表示されている（図５（ｂ）と図７（ｂ）の履歴６０００参照）。
【００４９】
＜本発明のアドレス帳変更と着信履歴＞
次に、本発明のアドレス帳更新処理について、図８と図９とを用いて説明する。図８は、アドレス帳更新処理を示すフローチャートであり、図９は、アドレス帳更新処理後の着信電話履歴データ３１０１を示す図である。
まず、ユーザは、操作部１２００を介して、アドレス帳２１００を更新するための指示を行う（ステップＳ２００）。具体的には、例えば、表示部１３００に表示されているメニューから更新する旨の項目を選択する。
【００５０】
操作部１２００は、メニュー項目の選択を検出し、その旨を制御部１５００に通知する。
通知を受けた制御部１５００は、選択されたメニュー項目がアドレス帳の更新処理であることを解析し、アドレス帳更新部１６１０に更新処理を行うよう指示を出す。
指示を受けたアドレス帳更新部１６１０は、制御部１５００を介して操作部１２００や表示部１３００等とやり取りし、更新処理を行う（ステップＳ２１０）。
【００５１】
具体的には、更新対象の、アドレス帳２１００の個人情報２１２０（図２等参照）をディスプレイに表示し、ユーザから変更、追加、削除等の指示を受付けて処理し、該当する個人情報２１２０に上書きする。
従来のアドレス帳更新処理はここまでであるが、本発明では、更にアプリケーション記憶部のデータも更新する。
【００５２】
まず、アドレス帳で更新された項目が、電話番号（２１１２、２１１３）又はメールアドレス（２１１４、２１１５）であるかを判断する（ステップＳ２２０）。この判断の方法は、更新前の個人情報を記憶しておいて更新後の個人情報と比較したり、ユーザの操作から検出したりする方法でよく、更新前の電話番号又はメールアドレスと、更新後の電話番号又はメールアドレスを記憶しておけるものであればよい。
【００５３】
更新されたのが、電話番号又はメールアドレスであった場合には（ステップＳ２２０：ＹＥＳ）、アプリケーション記憶部３０００に記憶されているデータを検索し、更新前の電話番号又はメールアドレスを更新後の電話番号又はメールアドレスで書き換える（ステップＳ２３０）。この際、電話番号が更新されたのであれば、電話番号を記憶しているデータを検索する。本実施形態の場合、着信電話履歴データ３１００と着信拒否電話番号データ３３３０とを検索する。
【００５４】
書き換えた着信電話履歴データ３１０１の例を、図９に示す。
ここでは、更新前の電話番号「09033333333」を、図４のアドレス帳で示す更新後の電話番号２１９０「09012345678」で書き換えている（電話番号３１２１参照）。
また、着信拒否電話番号データ３３３０は、更新前の電話番号と異なるため、書き換えない。
【００５５】
更新されたのが、電話番号又はメールアドレスでなかった場合には（ステップＳ２２０：ＮＯ）、終了する。
＜実施形態２＞
実施形態１では、アドレス帳の電話番号を新しい電話番号に変更する場合を例に取り説明した。本実施形態では、個人情報２１２０（図２参照）に複数の電話番号が登録されている場合に、１つの電話番号が削除された場合について説明する。
【００５６】
図１０（ａ）は、登録されている２つの電話番号のうち、１つが削除された場合のアドレス帳２１９０の内容例を示す図であり、図１０（ｂ）は、その場合の着信電話履歴データ３１９０の内容例を示す図である。
アドレス帳２１９０の電話番号２「09022222222」が削除された場合は（図１０（ａ）点線矢印２１９１参照）、着信電話履歴データ３１９０中の削除された電話番号を、他の電話番号に書き換える（図１０（ｂ）点線矢印３１９１参照）。
【００５７】
この場合、削除された電話番号「09022222222」を、他の電話番号「0611111111」で書き換えることにより、着信履歴を表示した場合は、「Ａ男」と表示され、返信したとしても前の番号に掛かってしまうことなく「Ａ男」に連絡を取ることが可能となる。
＜変形例１＞
実施形態２では、アドレス帳に登録されている電話番号が２つの場合を説明したが、３つ以上の電話番号が登録されていた場合に、どの電話番号で書き換えるかが問題となる。
【００５８】
図１１（ａ）は、登録されている３つの電話番号のうち、１つが削除された場合のアドレス帳２１９５の内容例を示す図であり、図１１（ｂ）は、その場合の着信電話履歴データ３１９５の内容例を示す図である。
この場合は、削除された電話番号２「09022222222」は（図１１（ａ）点線２１９６参照）、電話番号１「0611111111」と電話番号３「09033333333」のうち、電話番号３「09033333333」で書き換える（図１１（ｂ）点線矢印３１９６）。
【００５９】
削除された電話番号２は、携帯電話機の番号であることから、他の電話番号１，３のうちの携帯電話機の番号で書き換えている。
削除された電話番号と同じカテゴリである携帯電話機の電話番号で書き換えた方が、固定電話機の電話番号で書き換えるよりも、より連絡が付き易いと考えられるからである。
また、他の電話番号が全て同じカテゴリ、すなわち、全て固定電話機の番号であったり、携帯電話機の番号であった場合には、電話番号の項目番号が小さい方で書き換えるなど、一定の法則を決めておいて書き換える。例えば、他の電話番号が、電話番号２と電話番号３とであった場合は、電話番号１で書き換えるなどである。
【００６０】
尚、携帯電話機の電話番号であるか、固定電話機の電話番号であるかは、電話番号の先頭の「090」、「080」等により判断する。
また、メールアドレスの場合は、ドメイン名から判断する。
＜補足＞
以上、本発明に係る携帯電話機について実施形態に基づいて説明したが、この携帯電話機を部分的に変形することもでき、本発明は上述の実施形態に限られないことは勿論である。即ち、
（１）実施形態では、着信履歴と受信メール履歴を例にとり説明したが、他の履歴であってももちろんよい。
【００６１】
例えば、発信履歴や送信メール履歴、電話番号宛にメールを送受信するいわゆるショートメールの発着信履歴等であってもよい。
尚、本実施形態では、受信メール履歴は、受信したメールを受信した順に表示したものとしているが、他の表示方法でもよい。例えば、同じ送信元からのメールは最新の受信に関するもののみを表示したもの等である。着信履歴に関しても、他の表示方法でもよい。
（２）実施形態では、着信履歴表示と受信メール履歴表示以外のアプリケーションとして着信拒否機能を説明したが、もちろん他のアプリケーションであっても良い。
【００６２】
例えば、特定のメールアドレスからのメールを受信しないようにするもの、また、特定のメールアドレスからのメールのみ受信するようにするものなどである。
この場合は、それぞれのメールアドレスをアプリケーション記憶部に記憶しておき、アドレス帳のメールアドレスが更新等された場合は、該当するメールアドレスを書き換える。
【００６３】
また、メールをメールアドレスに基づいて複数に振り分けて、それぞれ別フォルダに登録するアプリケーションの場合は、書き換えられた新しいメールアドレスで振り分けを行う。
更に、留守番電話機能などで残されたメッセージである音声メモ、保存した当該音声メモも、誰からの音声メモであるかを示すために記録されている電話番号等を書き換える。
【００６４】
また、通話音声を記録した音声データ、保存した当該音声データも、誰との通話であるかを示すために記録されている電話番号等を書き換える。
また、同時に複数のメンバー間でコミュニケーションできるアプリケーションを利用する際の、グループ登録もアドレス帳の更新とあわせて書き換える。
例えば、ＰＴＴ（Push To Talk）通話や、テキストチャットなどのアプリケーションであり、グループ登録されている電話番号を書き換えることで、参加しているメンバーの名前等を表示できるようになる。
【００６５】
また、特定の電話番号の電話機の位置を通知する、又は通知しない等のアプリケーションの場合、アドレス帳の更新に合わせて、その特定の電話番号を書き換えることで、再設定せずとも電話機の位置が通知等される。
（３）実施形態では、アドレス帳記憶部とアプリケーション記憶部は、携帯電話機に内蔵されたメモリであることとしているが、取り外し可能な可搬性を有する記録媒体であっても良い。
【００６６】
例えば、いわゆる電子名刺の情報であるｖＣａｒｄデータや、ＳＤカードなどである。
（４）実施形態で示した携帯電話機の各機能を実現させる為の各制御処理（図８等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した各機能が実現される。
【産業上の利用可能性】
【００６７】
いわゆるアドレス帳と連携するアプリケーションを備える通信端末での、アドレス帳の更新時の技術として有用である。
【図面の簡単な説明】
【００６８】
【図１】本発明の携帯電話機の構成を示す機能ブロック図である。
【図２】アドレス帳記憶部２０００に記憶されるアドレス帳２１００の構成例及び内容例を示す図である。
【図３】アプリケーション記憶部３０００に記憶されるデータを示す図であり、図３（ａ）は、着信電話履歴データ３１００の構成及び内容例を示し、図３（ｂ）は、受信メール履歴データ３２００の構成及び内容例を示し、図３（ｃ）は、着信拒否電話番号データ３３００の構成及び内容例を示す図である。
【図４】着信履歴表示処理を示すフローチャートである。
【図５】図５（ａ）は、ディスプレイに表示された着信履歴の例を、図５（ｂ）は受信メール履歴の例を示す図である。
【図６】アドレス帳２１００の電話番号が変更された例を示す図である。
【図７】図７（ａ）は、着信履歴の例を示す図であり、図７（ｂ）は、受信メール履歴の例を示す図である。
【図８】アドレス帳更新処理を示すフローチャートである。
【図９】アドレス帳更新処理後の着信電話履歴データ３１０１を示す図である。
【図１０】図１０（ａ）は、登録されている２つの電話番号のうち、１つが削除された場合のアドレス帳２１９０の内容例を示す図であり、図１０（ｂ）は、その場合の着信電話履歴データ３１９０の内容例を示す図である。
【図１１】図１１（ａ）は、登録されている３つの電話番号のうち、１つが削除された場合のアドレス帳２１９５の内容例を示す図であり、図１１（ｂ）は、その場合の着信電話履歴データ３１９５の内容例を示す図である。
【符号の説明】
【００６９】
１０００    携帯電話機
１１００    通信部
１２００    操作部
１３００    表示部
１４００    音声処理部
１４２０    スピーカ
１４１０    マイク
１５００    制御部
１６００    アドレス帳管理部
１６１０    アドレス帳更新部
１７００    発着信履歴管理部
１７１０    着信履歴表示部
１８００    メール履歴管理部
１８１０    受信メール履歴表示部
１９００    受信管理部
１９１０    着信拒否部
２０００    アドレス帳記憶部
２１００    アドレス帳
３０００    アプリケーション記憶部
３１００    着信電話履歴データ
３２００    受信メール履歴データ
３３００    着信拒否電話番号データ
【図１】
2008252370.tif 000003
【図２】
2008252370.tif 000004
【図３】
2008252370.tif 000005
【図４】
2008252370.tif 000006
【図５】
2008252370.tif 000007
【図６】
2008252370.tif 000008
【図７】
2008252370.tif 000009
【図８】
2008252370.tif 000010
【図９】
2008252370.tif 000011
【図１０】
2008252370.tif 000012
【図１１】
2008252370.tif 000013